(57)【要約】【課題】分析依頼時に容易に分析可能なテスト数を判断できる分析システムを実現する。【解決手段】項目選択画面９−６は分析項目依頼手段として分析項目を割り当てた分析項目ボタン９−９を備え、オペレータが分析項目ボタン９−９を選択的に押下することによって、分析システムの処理部は依頼を受け付け、分析依頼の記憶手段に登録する。分析項目依頼手段（分析項目ボタン９−９）の近傍の一つの例として、分析項目ボタン９−９の右上に分析可能テスト数９−１０を表示する。例えば、分析項目ボタン９−９のうちの項目ＴＣＨの右上に分析可能テスト数として１０、項目ＬＡＰの右上にテスト数として２３０が表示される。これにより、オペレータが分析依頼時に容易に同一画面にて依頼が可能なテスト数を判断することができる。【選択図】図３
2008209138.tif 000002
【特許請求の範囲】
【請求項１】
試薬搭載手段と、試薬と試料とを反応させる反応手段と、試薬搭載手段に搭載された試薬情報及び分析依頼に関する情報を格納する記憶手段と、表示手段と、上記試薬搭載手段、上記反応手段、上記記憶手段及び表示手段の動作を制御すると共に試料分析処理を行なう処理手段とを有する分析装置を少なくとも１つ備える分析システムにおいて、
上記処理手段は、
分析する項目を上記表示手段に表示させると共に、上記記憶手段に記憶された試薬情報に基づいて、分析可能なテスト数を算出し、算出した分析可能テスト数を、上記表示手段に表示された分析項目の近辺に表示させることを特徴とする分析システム。
【請求項２】
請求項１記載の分析システムにおいて、
上記表示手段に表示される分析項目は複数であり、上記処理手段は、上記記憶手段に記憶された試薬情報に基づいて、分析可能なテスト数を分析項目毎に算出し、算出した分析可能テスト数のそれぞれを、対応する分析項目の近辺に表示させることを特徴とする分析システム。
【請求項３】
請求項１記載の分析システムにおいて、
上記処理手段は、算出した実行可能なテスト数が一定値以下になった場合、上記表示手段に警告を表示させることを特徴とする分析システム。
【請求項４】
請求項３記載の分析システムにおいて、
上記一定値は、上記表示手段を介して設定可能であることを特徴とする分析システム。
【請求項５】
請求項３記載の分析システムにおいて、
上記処理手段は、上記記憶手段に記憶された試薬情報及び分析依頼に関する情報に基づいて、分析動作が継続された場合に、試薬が不足する予測時期を算出し、算出した予測時期と対応する分析項目とを上記表示手段に表示させることを特徴とする分析システム。
【発明の詳細な説明】
【技術分野】
【０００１】
本発明は、試薬等を使用して分析対象を分析する分析システムに関する。
【背景技術】
【０００２】
自動分析装置を有する分析システムは、分析すべき特定成分に応じた試薬と、血清、尿などの生体試料を反応させることによって定量・定性分析を行う。
【０００３】
分析装置に搭載された試薬の残量よりも分析依頼が多くなった場合、分析装置を停止させる等によって、試薬を登録する必要があるが、分析装置の動作停止は、ルーチン業務の妨げる要因となっていた。このため、分析途中に試薬量が不足しないように、予め試薬の過不足判定を行う分析装置が、例えば特許文献１に開示されている。
【０００４】
【特許文献１】特開２００３−３１５３４４号公報
【発明の開示】
【発明が解決しようとする課題】
【０００５】
上記特許文献1には、過去の試薬情報を使用して、試薬量の不足を算出し、表示する技術について記載されている。
【０００６】
この場合、オペレータは、試薬の過不足を判断するために、一日の各項目の使用予定量を予測して予め分析システムに入力することが必要である。
【０００７】
そこで、最近では、試料の分析中であっても、分析動作を停止することなく、試薬の追加、交換可能な自動分析システムが開発されている。
【０００８】
この自動分析システムにおいては、各試薬容器の残量情報を記憶し、表示装置に残量を表示し、試薬を使用した結果、試薬が一定量以下になるか、無くなった場合には、ユーザに試薬の不足を通知する。
【０００９】
しかし、実試薬残量は、試薬画面などで確認可能であるが、依頼数とテスト数との関連から試薬を登録すべきかどうかを判断することはできなかった。
【００１０】
つまり、実際に試薬を使用した結果についての試薬不足通知であるため、その試薬を使用する分析が、それ以降予定されているか否かをユーザが認識することができない。このため、適切な量の試薬の追加、交換が困難であり、試薬不足によって分析できない依頼が発生する可能性があった。
【００１１】
本発明の目的は、分析依頼時に容易に分析可能なテスト数を判断できる分析システムを実現することである。
【課題を解決するための手段】
【００１２】
本発明の分析システムは、分析装置を少なくとも１つ備え、この分析装置の処理手段は、分析する項目を表示手段に表示させると共に、記憶手段に記憶された試薬情報に基づいて、分析可能なテスト数を算出し、算出した分析可能テスト数を、表示手段に表示された分析項目の近辺に表示させる。
【００１３】
好ましくは、表示手段に表示される分析項目は複数であり、算出した分析可能テスト数のそれぞれを対応する分析項目の近辺に表示させる。
【００１４】
また、好ましくは、処理手段は、算出した実行可能なテスト数が一定値以下になった場合、表示手段に警告を表示させる。
【００１５】
また、好ましくは、処理手段は、記憶された試薬情報及び分析依頼に関する情報に基づいて、試薬が不足する予測時期を算出し、算出した予測時期を対応する分析項目の近傍に表示させる。
【発明の効果】
【００１６】
本発明によれば、依頼可能なテスト数を分析依頼手段の近傍に表示することによって、分析依頼時に容易に同一画面にて依頼が可能なテスト数を判断でき、試薬不足による分析動作の停止を回避することが可能となる。
【発明を実施するための最良の形態】
【００１７】
以下、本発明の実施形態について、添付図面を参照して説明する。
【００１８】
図1は、本発明が適用される分析システムの概略構成図である。図１において、分析システムは、一つ又は複数の分析装置１を備えている。分析すべき検体は、検体ピペッティング機構２により分取され、反応ディスク機構３に配列された容器（図示せず）に注入される。試薬容器は、試薬ディスク機構４に格納される。試薬ディスク機構４の試薬容器に収容された試薬は、試薬を分取する試薬ピペッティング機構５によって分取され、反応ディスク機構３に配列された反応容器に注入される。
【００１９】
オペレータ（操作者）が試薬投入エリア６に試薬を設置すると、試薬設置取り出し機構７によって、試薬の種類等が判断された後、試薬ディスク機構４に搬入される。処理部１０に内蔵する記憶装置８は、分析システムに依頼されたテスト情報や、一つ又は複数の分析装置の試薬情報を格納する。ユーザインターフェース９は、分析依頼の入力や試薬の残量、過不足等を表示する。処理部１０は、分析の動作制御、試薬や試料に関する情報の表示や格納動作の制御を行うとともに、試料の分析処理を行う。
【００２０】
試薬不足がユーザインターフェース９に表示された場合、操作者が不足する試薬を追加する為、新たな試薬が収容された容器を試薬投入エリア６に設置すると、試薬設置取り出し機構７は、分析装置の分析動作を停止させることなく、試薬をディスク４に配列された試薬容器に注入する、又は、試薬容器を新たなものに交換する。
【００２１】
図２は、本発明による分析システムの処理部１０の説明図である。
【００２２】
分析システムは、上述したように、複数の分析装置の情報を管理する処理部１０及び表示部（ユーザインターフェース）９を備える。処理部１０は、試薬残量の記憶手段８−１及び分析依頼の記憶手段８−２を備える。
【００２３】
分析システムが立ち上がると、処理部１０は、試薬残量の記憶手段８−１の情報を用いて、各項目と分析可能なテスト数との対応を導出し、テスト数管理テーブル８−３に格納する。
【００２４】
分析可能なテスト数は、試薬の実残量を試薬使用量で除算して導出するものとし、複数試薬を用いる分析項目については、各試薬の実残量を試薬使用量で除算した結果、最も小さい値を採用する。
【００２５】
複数の分析装置によって構成される分析システムにおいては、各項目について、全分析装置の分析可能なテスト数の和とする。他の案として、試薬残量の記憶手段８−１は、試薬の残量ではなく、残テスト数を記憶してもよい。
【００２６】
導出した分析可能なテスト数は、表示部９の分析項目依頼手段の近傍に表示する。
【００２７】
オペレータが表示部９から分析依頼（依頼登録１０−１）を行うと、各項目の依頼数は、テスト数管理テーブル８−３に記録される。このとき、表示部９は、テスト数から依頼数を減算した結果を新たな分析可能なテスト数（依頼可能数１０−２）として、処理部１０から表示部９に送り、各項目の分析項目依頼手段の近傍に表示する。分析可能テスト数≦依頼数の場合には、０を表示する。
【００２８】
次に、分析項目依頼手段の近傍に、分析可能なテスト数を表示する例について、図３を参照して説明する。
【００２９】
図３において、分析システムの表示部９には、ルーチン操作画面９−１、試薬管理画面９−２、キャリブレーション画面９−３、精度管理画面９―４、ユーティリティ画面９−５が選択的に表示される。
【００３０】
ルーチン操作画面９−１は、項目選択画面９−６、測定結果画面９−７を備える。
【００３１】
項目選択画面９−６は、図示したように、検体ＩＤ９−８によって特定できる患者検体に対する分析依頼を表示する。さらに、項目選択画面９−６は、分析項目依頼手段として、分析項目を割り当てた分析項目ボタン９−９を備え、オペレータ（ユーザ）が分析項目ボタン９−９を選択的に押下することによって、分析システムの処理部１０は依頼を受け付け、分析依頼の記憶手段８−２に登録する。
【００３２】
分析項目依頼手段（分析項目ボタン９−９）の近傍の一つの例として、分析項目ボタン９−９の右上に分析可能テスト数９−１０を表示する。図示した例では、例えば、分析項目ボタン９−９のうちの項目ＴＣＨの右上に分析可能テスト数として１０、項目ＬＡＰの右上にテスト数として２３０が表示される。
【００３３】
図４は、分析項目依頼手段の近傍に分析可能テスト数等を表示する他の例の説明図である。この図４に示した例は、分析項目の試薬情報詳細を表示するウィンドウである。図示した例の分析項目はＴＣＨの場合であり、項目名、依頼可能数、残テスト数、ポジション、残量が表示されている。
【００３４】
図４に示した試薬情報詳細画面は、項目選択画面９−６（図３）にて、フォーカスが当てられる分析項目ボタン９−９（図４に示した例であれば、項目ＴＣＨの分析項目ボタン）について、その表示を妨げない位置に表示する。
【００３５】
なお、ＨＯＳＴシステムなどと接続された分析システムの場合は、ＨＯＳＴシステムが表示部９を備える形態であってもよい。
【００３６】
ここで、オペレータの依頼によっては、実行可能なテスト数が一定以下になる場合がある。この場合には、オペレータに試薬の追加登録を促すための警告を行う。
【００３７】
図３に示した項目選択画面９−６にて、分析項目ボタン９−９が押下されると、処理部１０は、分析依頼記憶手段８−２に分析依頼を格納し、テスト数管理テーブル８−３の該当する依頼数に１を加算する。このとき、「テスト数−依頼数≦一定量」ならば、ユーザに警告を出力する。
【００３８】
例えば、分析可能テスト数が、図３に示した分析可能テスト数９−１０である場合（１０テストの場合）、オペレータが分析項目として、ＴＣＨを依頼したとすると、表示された分析可能テスト数は１０であるから、依頼したタイミングで、分析可能テスト数９−１０は、「１０−１＝９」となる。上記警告出力を行なう一定量が、９テスト以下と設定されているならば、オペレータに試薬の追加登録を促すための警告を出力する。
【００３９】
警告の出力方法としては、図３に示した分析項目ボタン９−９や分析可能テスト数９−１０の色や形状を変化する方法や、システムアラームを出力する方法などが考えられる。
【００４０】
次に、オペレータに試薬追加登録を促す判定レベルの設定について説明する。
【００４１】
図５は、オペレータに試薬追加登録を促す判定レベルの設定表示（試薬残量警告レベル設定）の一例を示す図である。図５において、分析項目ごとに、試薬残量警告レベルを設定する。また、全項目を一括で同じテスト数に設定できるように構成することもできる。
【００４２】
分析可能テスト数が一定数以下となったときに、オペレータに試薬の追加登録を警告することの他に、試薬が不足することなく、分析を継続するために必要な試薬登録タイミングをオペレータ（ユーザ）に通知することが考えられる。
【００４３】
次に、上述した、分析を継続するために必要な試薬登録タイミングをオペレータに通知する例について説明する。
【００４４】
多数の患者検体についての依頼を一度に実施する場合を例として説明する。試薬の採取回数等の情報を記憶し、その記憶情報から、分析可能テスト数を算出する機能を、処理部１０が有するか、検出器などによって現在の試薬量から分析可能テスト数を認識する手段を分析システムが備える。
【００４５】
分析が依頼されたとき、「依頼数−分析可能テスト数≧一定量」ならば、「分析可能実残テスト数×分析サイクル」で求まる時間が試薬が最も早くなくなる時間である。
【００４６】
したがって、オペレータが分析を依頼したタイミングで、「依頼数−分析可能テスト数≧一定量」となるかを確認し、この条件が成立した場合、オペレータに「分析可能テスト数×分析サイクル」で求まる時間が経過すると、その試薬がなくなる可能性があることをオペレータに通知する。他に、「現在時刻＋分析可能テスト数×分析サイクル」によって、試薬がなくなる予想時刻をオペレータに通知してもよい。
【００４７】
試薬がなくなる時刻の通知手段については、分析項目依頼手段９−９の近傍（分析可能テスト数の隣）に時間または時刻を表示する方法や、システムアラームによってオペレータに警告する方法などが考えられる。
【００４８】
また、試薬がなくなる時期と、その試薬名を表示するように構成することもできる。
【００４９】
以上のように、本発明の一実施形態によれば、分析可能テスト数を分析項目ボタン９−９の近傍に表示する構成としたので、オペレータ（ユーザ）が分析依頼時に容易に同一画面にて依頼が可能なテスト数を判断することができる。
【００５０】
さらに、分析依頼数が分析可能なテスト数を一定数以上超えるときには、オペレータに警告する構成としたので、試薬不足により分析動作が中断されるという事態を回避することが可能となる。
【００５１】
さらに、試薬が不足する予測時期を予め警告表示するように構成すれば、早期の試薬の準備等を行なうことができ、試薬不足により分析動作が中断されるという事態を確実に回避することが可能となる。
【００５２】
なお、分析可能テスト数は、分析システム立ち上げ時に記憶されている試薬残量から算出するか、試薬量チェックを実施する分析システムの場合には、測定結果から算出するものとする。
【００５３】
また、分析可能テスト数の表示は、数字だけでなく、ヒストグラム等、量を認識できるもので表示してもよく、単位はテスト数だけでなくｍｌなどの単位でもよい。
【００５４】
また、分析システムが複数の自動分析装置を備える場合、各自動分析装置毎の分析可能テスト数を、各自動分析装置の表示部における分析項目ボタン９−９の近傍に表示してもよいし、メインの表示部を設定し、そのメインの表示部に、分析システム全体の分析可能テスト数を表示すると共に、個々の自動分析装置の分析可能テスト数を表示するように構成することも可能である。
【図面の簡単な説明】
【００５５】
【図１】本発明が適用される自動分析システムの概略構成図である。
【図２】本発明の一実施形態における分析システムの処理部の説明図である。
【図３】本発明の一実施形態における分析可能テスト数の表示画面例を示す図である。
【図４】本発明の一実施形態における分析項目依頼手段の近傍に分析可能テスト数等を表示する他の例の説明図である。
【図５】本発明の一実施形態における試薬残量警告レベル設定画面例を示す図である。
【符号の説明】
【００５６】
１・・・分析装置、２・・・検体ピペッティング機構、３・・・反応ディスク機構、４・・・試薬ディスク機構、５・・・試薬ピペッティング機構、６・・・試薬投入エリア、７・・・試薬設置取り出し機構、８−１・・・試薬残量記憶手段、８−２・・・分析依頼記憶手段、８−３・・・テスト数管理テーブル、９・・・表示部、９−１・・・ルーチン操作画面、９−２・・・試薬管理画面、９−３・・・キャリブレーション画面、９−４・・・精度管理画面、９−５・・ユーティリティ画面、９−６・・・項目選択画面、９−９・・・分析項目ボタン、９−１０・・・分析可能テスト数、１０・・・処理部
【図１】
2008209138.tif 000003
【図２】
2008209138.tif 000004
【図３】
2008209138.tif 000005
【図４】
2008209138.tif 000006
【図５】
2008209138.tif 000007